(57)【要約】エレベータ装置は、リセスを含む垂直方向に隣接する構造プラットホームすなわち屋根スラブもしくはピットスラブを有する昇降路と、このリセス内に据付可能な巻上機と、を有する。垂直方向に隣接する構造プラットホームは、昇降路の天井もしくは床のいずれかを定める。巻上機を昇降路のリセス内に据え付けることで、巻上機が昇降路から取り除かれ、巻上機を収容するために昇降路を水平方向および垂直方向のいずれにも拡張する必要がなくなる。
2004504239.tif 000002
【特許請求の範囲】
【請求項１】
昇降路の頂部を定める面を有するとともに、この面から上向きに延びるリセスを備える上部構造プラットホームを含む昇降路と、
かごと、
前記かごと係合する１つまたは複数のロープと、
前記ロープと係合するとともに前記リセス内に配置された巻上機と、を有することを特徴とするエレベータ装置。
【請求項２】
前記巻上機を支持するベッドプレートをさらに含み、このベッドプレートは、前記上部構造プラットホームに取り付けられていることを特徴とする請求項１記載のエレベータ装置。
【請求項３】
前記ベッドプレートは、前記リセス内に配置されていることを特徴とする請求項２記載のエレベータ装置。
【請求項４】
前記１つまたは複数のロープは、前記かごに取り付けられていることを特徴とする請求項１記載のエレベータ装置。
【請求項５】
前記かごは、１つまたは複数のつり車を含み、前記１つまたは複数のロープは、前記１つまたは複数のつり車と係合していることを特徴とする請求項１記載のエレベータ装置。
【請求項６】
前記１つまたは複数のつり車は、前記ロープが前記かごの下を通過するように配置されていることを特徴とする請求項５記載のエレベータ装置。
【請求項７】
前記１つまたは複数のつり車は、前記ロープが前記かごの上を通過するように配置されていることを特徴とする請求項５記載のエレベータ装置。
【請求項８】
前記昇降路を通って延在する１つまたは複数のガイド部材をさらに含み、前記かごは、該かごが昇降中に案内されるように前記ガイド部材と係合しており、前記巻上機は、前記１つまたは複数のガイド部材によって支持されていることを特徴とする請求項１記載のエレベータ装置。
【請求項９】
前記巻上機を支持するベッドプレートをさらに含み、このベッドプレートは、前記１つまたは複数のガイド部材に取り付けられていることを特徴とする請求項８記載のエレベータ装置。
【請求項１０】
前記１つまたは複数のロープは、平形ロープを含むことを特徴とする請求項１記載のエレベータ装置。
【請求項１１】
前記１つまたは複数のロープは、非金属材料から構成された耐荷重ストランドを有するロープを含むことを特徴とする請求項１記載のエレベータ装置。
【請求項１２】
前記上部構造部材は、屋根を定める上面を含むことを特徴とする請求項１記載のエレベータ装置。
【請求項１３】
前記上部構造部材は、上面を備えるとともに３００ｍｍ以下の厚みを有し、この厚みは、前記昇降路の頂部を定める面から前記上面までを測定したものであり、前記巻上機は、前記上部構造部材の厚みの範囲内に据付可能であることを特徴とする請求項１記載のエレベータ装置。
【請求項１４】
前記１つまたは複数のロープは、前記かごに均衡のとれたつり上げ力を提供するように該かごと係合していることを特徴とする請求項１記載のエレベータ装置。
【請求項１５】
前記１つまたは複数のロープは、前記かごに不均衡な吊り上げ力を提供するように該かごと係合していることを特徴とする請求項１記載のエレベータ装置。
【請求項１６】
前記昇降路を通って延在する１つまたは複数のガイド部材をさらに含み、前記かごは、該かごが昇降中に案内されるように前記ガイド部材と係合しており、前記昇降路は、壁を含み、前記１つまたは複数のガイドレールは、前記かごがカンチレバー式に案内されるように前記昇降路の壁に沿って配置されていることを特徴とする請求項１記載のエレベータ装置。
【請求項１７】
前記巻上機は、ディスク型の巻上機であることを特徴とする請求項１記載のエレベータ装置。
【請求項１８】
前記ロープは、前記巻上機から水平方向に延びていることを特徴とする請求項１７記載のエレベータ装置。
【請求項１９】
ビルを通って延びるとともに、最上の乗場を含む複数の離間された乗場と、昇降路の頂部を定める面を有する上部構造プラットホームと、を含み、前記最上の乗場と前記昇降路の頂部との距離が、他の１つまたは複数の隣接する乗場間の距離に実質的に等しい昇降路と、
前記昇降路内で昇降するように設けられたかごと、
前記かごと係合する１つまたは複数のロープと、
前記ロープと係合するとともに前記かごよりも上に配置された巻上機と、を有することを特徴とするエレベータ装置。
【請求項２０】
前記上部構造プラットホームは、前記面から上向きに延びるリセスを含み、前記巻上機は、前記リセス内に延在していることを特徴とする請求項１９記載のエレベータ装置。
【請求項２１】
前記巻上機は、前記リセス内の固定位置に配置されていることを特徴とする請求項２０記載のエレベータ装置。
【請求項２２】
昇降路の天井または床のいずれかを定める面を有し、かつこの面からプラットホーム内に延びるリセスを備える垂直方向に隣接する構造プラットホームを含む昇降路と、
かごと、
前記かごと係合する１つまたは複数のロープと、
前記ロープと係合するとともに前記リセス内に配置された巻上機と、を有することを特徴とするエレベータ装置。
【請求項２３】
前記構造プラットホームは、前記面が前記昇降路の天井を定める上部構造プラットホームであり、前記巻上機は、前記昇降路よりも上に配置されていることを特徴とする請求項２２記載のエレベータ装置。
【請求項２４】
前記構造プラットホームは、前記面が前記昇降路の床を定める下部構造プラットホームであり、前記巻上機は、前記昇降路よりも下に配置されていることを特徴とする請求項２２記載のエレベータ装置。
【請求項２５】
昇降路の天井または床のいずれかを定める面を有し、かつこの面からプラットホーム内に延びるリセスを備える垂直方向に隣接する構造プラットホームを含む昇降路と、
かごと、
前記昇降路を通って前記かごを昇降させるように前記かごと係合しているとともに前記リセス内に配置された巻上機と、を有することを特徴とするエレベータ装置。
【発明の詳細な説明】
【０００１】
【技術分野】
本発明は、エレベータ装置に関し、特に、独立した機械室がないエレベータ装置に関する。
【０００２】
【背景技術】
一般的な牽引式エレベータ装置は、昇降路内に配置されたかごおよび釣合いおもりと、これらのかごと釣合いおもりを連結する複数のロープと、これらのロープと係合する駆動綱車を有する巻上機と、を含む。ロープは、駆動綱車の回転によって駆動され、これに伴ってかごおよび釣合いおもりも駆動綱車の回転によって駆動される。巻上機とこれに関連する電子機器とは、ガバナなどのエレベータの周辺部品とともに、昇降路の上部に、もしくは昇降路に隣接すなわち近接して設けられた独立した機械室に収容される。
【０００３】
エレベータ産業における最近の傾向は、独立した機械室をなくし、エレベータの種々の機器および部品を拡張した昇降路内に配置することである。１つの例としては、かごの昇降空間と昇降路壁との間に設けられた巻上機を使用することを開示したＪＰ４−５０２９７が挙げられる。この文献に開示された実施例では、巻上機を据え付けるために昇降路の断面積を拡張することが必要である。
【０００４】
このようなエレベータの他の例には、米国特許第５，４２９，２１１号があり、この特許は、同様の位置に設けられており、かつディスク型ロータを備えたモータを有する巻上機を使用することを開示している。この構成では、このような平らな巻上機を利用して、巻上機のために必要な昇降路の断面空間の拡張を最小化している。しかし、このような種類の巻上機は、積載荷重および速度が比較的低く制限される。
【０００５】
実際には、これらの種類のエレベータでは、巻上機および他の機器を据え付けるために、昇降路を垂直方向に延長することも必要となる。これらの構成は、共にエレベータ装置を設置する建設費を増加させるおそれがある。これに加えて、巻上機および他の典型的な機械室機器を昇降路内に設置することは、機器の保守を行うために特別な手順や注意を要する。
【０００６】
上述の技術の存在にかかわらず、本出願人の指示のもとにある科学者および技術者は、ビル内の有効な空間を効率的に利用するエレベータ装置を開発しようと努力している。
【０００７】
【発明の開示】
本発明の一実施例では、エレベータ装置は、リセスを含む垂直方向に隣接する構造プラットホームを有する昇降路と、このリセス内に据付可能な巻上機と、を有する。垂直方向に隣接する構造プラットホームは、昇降路の天井もしくは床のいずれかを定める。
【０００８】
巻上機を昇降路のリセス内に据え付けることで、巻上機が昇降路から取り除かれ、巻上機を収容するために昇降路を水平方向および垂直方向のいずれにも拡張する必要がなくなる。これにより、必要な昇降路空間が、かご、釣合いおもり、ガイドレール、およびロープを収容するのに充分な大きさまで減少する。
【０００９】
本発明の特定の実施例では、巻上機は、牽引式の巻上機であり、エレベータ装置は、かごおよび釣合いおもり用の牽引ロープとして平形ロープを使用する。平形ロープの使用によって駆動綱車の直径が最小化され、これに応じて巻上機の寸法も最小化されるので、この実施例は特に有用である。実際には、巻上機の直径は、２００〜３００ｍｍの範囲とすることができる。多くのビルの屋根スラブは、２００〜３００ｍｍの厚みを有するので、本実施例の巻上機は、ビルの屋根の上に延長部を設けることなく、屋根スラブのリセス内に据え付けることができる。
【００１０】
本発明の主な特徴は、平形ロープを使用することである。本明細書において、平形ロープとは、幅ｗ対厚みｔの比率として定義されるアスペクト比が、実質的に１よりも大きいロープを含むと定められる。このようなロープの一例に関するより詳細な説明は、本出願人が有するとともに継続中の、１９９８年２月２６日出願の米国特許出願第０９／０３１，１０８号、名称「エレベータ用の引張部材」、および１９９８年１２月２２日出願の米国特許出願第０９／２１８，９９０号、名称「エレベータ用の引張部材」に含まれている。
【００１１】
本発明の他の実施例では、エレベータ装置は、かごの下を通過するようにかごのつり車と係合するロープと、かごの屋根の線よりも下に配置された小型のドア作動装置と、を含む。この実施例では、かごの屋根が昇降路の天井に隣接する（最小の安全距離を含む）高さまでかごを昇降路内で上昇させることが可能となる。この実施例の利点は、最上階の乗場と昇降路の天井との間の垂直距離が最小化される点である。実際には、約２．２メートルの従来のかご高さに対する、（以下で“オーバヘッド”と呼ぶ）最上階の乗場から昇降路の天井までの距離は、２．５〜２．８メートルとすることができる。この構成では、ビルの全ての階を同じ高さ、すなわち２．５〜２．８メートルとすることが可能となるので、ビルの設計および建設に関する利点がさらに提供される。
【００１２】
上述およびその他の本発明の目的、特徴、および利点は、以下の例示的な実施例の詳細な説明および添付図面によってより明らかとなる。
【００１３】
【発明を実施するための最良の形態】
図１には、本発明のエレベータ装置１２が示されている。このエレベータ装置は、かご１４、巻上機１６、釣合いおもり（図示省略）、およびかご１４と釣合いおもりとを連結する１つまたは複数のロープ１８を含む。かご１４は、壁２２，２４と天井２６とによって画成される昇降路２０を通って昇降する。図１には明瞭化のために示されていないが、かご１４と釣合いおもりは、従来のガイドレールなどのガイド面に沿って昇降する。
【００１４】
昇降路２０は、ビルの各々の乗場２８に沿って垂直に延びる。各乗場２８は、構造プラットホームすなわちスラブ３０を含む。ビルの屋根は、昇降路２０の天井２６を定める他の構造プラットホームすなわちスラブ３２である。昇降路２０の天井２６は、かご１４の最上の昇降地点である。屋根スラブ３２は、天井２６から上向きに延びるリセス３４を含む。このリセス３４は、巻上機１６を収容する大きさに設けられている。さらに、ロープ１８用の終端装置３６が屋根スラブ３２に取り付けられている。
【００１５】
巻上機１６は、屋根スラブ３２のリセス３４内に設けられている。ロープ１８は、巻上機１６から下向きに延びて、かご１４および釣合いおもりと係合する。巻上機１６は、屋根スラブのリセス内でかつ実質的に天井２６より上に設けられていることで、かご１４の昇降通路の内部にも昇降通路に隣接する位置にもない。この特徴によって、エレベータ装置１２で必要な水平方向断面積が最小化される。さらに、かご１４の昇降通路は、昇降路２０の天井２６まで延びることが可能となり、安全距離を含むかご１４の昇降に必要な空間以外に、かご１４の上部に追加のオーバヘッド空間ＯＨは不要となる。
【００１６】
図２ａ，図２ｂには、１つの種類の据付配置が示されている。この据付配置３８は、巻上機１６を支持するベッドプレート４０を含む。このベッドプレート４０は、釣合いおもり用レール４４に固定された一対のビーム４２によって支持されている。これにより、巻上機１６の荷重は、昇降路２０のピットに伝達される。
【００１７】
図３には、他の据付配置が示されている。この据付配置４６は、リセス３４より上に配置され、かつ屋根スラブ３２の頂部と係合する取付ビームすなわちプラットホーム４８を含む。巻上機１６は、ビーム４８から懸吊される。ビーム４８がリセス３４より上に配置されているために、リセス３４は、屋根スラブ３２を貫通して設けられている。
【００１８】
図４ａ，図４ｂには、さらに他の据付配置５０が示されている。この据付配置は、ベッドプレート５４を支持する一対のビーム５２を含む。巻上機１６は、ベッドプレート５４上に位置する。ビーム５２は、巻上機１６の荷重がビルに伝達されるように屋根スラブ３２に固定されている。図３に示した上述の据付配置と同様に、この据付配置では、屋根スラブ３２を貫通するようにリセス３４を設ける必要がありうる。このため、環境的な妨害物からリセス３４を封止するためにカバー５６を使用することができる。
【００１９】
図１を再び参照すると、ロープ１８は、かごの底部に設けられた一対のつり車５８によって２：１ローピング方式、すなわち従来のアンダスラング方式でかご１４と係合している。この種類の２：１ローピング方式では、要求されるトルクが減少するとともにモータの回転速度が増加するという利点が提供され、これにより、巻上機１４に要求される出力および寸法が最小化される。この結果、リセス３４に必要な空間が小さくなる。これに加えて、つり車５８がかご１４の底部に設けられていることによって、昇降路２０の頂部においてかご１４の上部に設ける必要がある昇降空間およびオーバヘッド空間の大きさがさらに最小化される。
【００２０】
好適実施例では、ロープ１８は、平形ロープである。平形ロープ１８を使用することで、ロープ１８と係合するつり車５８の寸法を最小化することができる。巻上機１６では、これによって駆動綱車６０の直径が最小化されるとともに、巻上機１６で必要なトルクが最小化される。これにより、巻上機１６を非常に小型のものとし、かつリセス３４に必要な空間を最小とすることができる。さらに、つり車５８を最小化することもでき、これにより、かご１４および釣合いおもりのために必要となる空間、そして昇降路２０の断面積が減少する。この実施例では、エレベータ装置１２を懸吊して駆動するために平形ロープを使用しているが、鋼または非金属材料によって構成される従来の円形ロープなどの他の種類のロープを使用することもできる。
【００２１】
かご１４は、一対の両引き戸６２とドア作動装置６４とを含んでいる。図１では、両引き戸を示しているが、片引き戸および／またはテレスコーピングドア装置などの他のドア装置を本発明と共に使用することもできる。図１に示すように、ドア作動装置６４は、電子制御装置６６と、ドアガイドレール６９と係合した複数の電動ドアローラ６８と、を含む。このような小型のドア作動装置６４を使用することで、典型的なエレベータかごの屋根３６に設置された従来のドア作動装置などのような機器がない状態にかごの屋根を保つことができる。電動ローラ６８を有するように図示されているが、かごに取り付けられているとともに牽引コードを介してドアと係合する電動プーリや、リニアモータ式ドア装置などの他の小型ドア装置を本発明と共に使用することもできる。さらに、追加のオーバヘッド空間が利用可能な場合には、従来のドア作動装置を本発明と共に使用することもできる。また、昇降路の底部にドア作動装置に利用可能な充分な昇降空間があれば、ドア作動装置をかごの底部に取り付けることもできる。
【００２２】
屋根スラブ３２のリセス内に巻上機１６を設けることによって得られる効果は、屋根スラブ３２と最上の乗場スラブ２８との間に要求される垂直空間すなわちオーバヘッドＯＨの大きさが最小化されることである。この距離ＯＨは、かご１４の垂直高さｈと、エレベータ装置１２の安全運行のために要求されるかご１４の安全距離ｄの必要な大きさと、に限定することができる。かご１４の安全距離ｄの大きさは、該当する安全基準によって僅かに変化するが、典型的には、（かご速度の関数である）かごのジャンプと、（約５０ｍｍである）かごの許容される超過昇降距離と、釣合いおもりと接触した場合における釣合いおもり緩衝器の最大垂直移動距離である釣合いおもり緩衝器のストロークと、の和である。秒速約１メートルで昇降するかごでは、要求されるかごの安全距離ｄは一般に約３００ｍｍである。
【００２３】
例えば、従来のかごは、約２．２メートルの高さｈを有する。上述のエレベータ装置１２の安全運行のために、最上の乗場スラブ２８と昇降路２０の天井２６との間に必要な総オーバヘッドＯＨは、約２．５メートルである。住居用ビルにおける一般的な階床間隔も約２．５メートルなので、この距離ＯＨは、商業的に重要である。オフィス用ビルでは、階床間の間隔がより大きく、一般に２．８メートル程度である。このため、本発明のエレベータ装置を備えるいずれの種類のビルでも、ビルを通して階床間隔を一定とすることができる。この特徴は、建築家や建設業者により大きな自由度を提供し、また、最上階に追加の垂直空間を設ける必要がなくなるので、ビルの所有者にコスト削減を提供する。さらに、巻上機が昇降路内もしくはかごの昇降通路に水平方向に隣接して配置されていないので、エレベータ装置で必要な断面空間も最小化され、これによりビルの建設コストがさらに減少する。
【００２４】
図５は、本発明の他の構成を示している。このエレベータ装置７２では、かご７６の昇降通路より下に巻上機７４が配置されている。図５に示すように、昇降路７８は、昇降路７８の床８２を定めるとともにリセス８４を有する基礎すなわちピットスラブ８０を含む。巻上機７４は、かご７６の昇降通路よりも下に位置するようにリセス８４内に設けられている。ロープ８６は、巻上機７４から上向きに延びて、昇降路７８の頂部に取り付けられた一対のそらせ車８８と係合する。ロープ８６は、ここから下向きに延びて、かご７６および釣合いおもり９０と係合する。この構成では、図１の実施例に比べて追加のローピングとそらせ車が必要となるが、必要な昇降路の垂直空間を最小化するという目的は達成される。
【００２５】
図６ａ，図６ｂは、本発明のエレベータ装置の他のローピング方式を示している。図６ａでは、ロープ１８’は、図１と同様に２：１ローピング方式でかご１４’と係合しているが、かご１４’のつり車５８’は、かご１４’の屋根に設けられている。すなわち、かご１４’はオーバスラング方式で懸吊されている。この構成では、図１の実施例よりもかご１４’の上部に必要な空間が大きくなるが、この追加の空間は、つり車５８’の直径を最小化するために平形ロープを使用することで最小化することができる。図６ｂでは、ロープ１８”は、かご１４”に直接連結されている。この実施例では、つり車がかごから完全に取り除かれるが、図１に比べて巻上機１６に要求される出力が増加する。
【００２６】
図７には、本発明のまた他の実施例が示されている。この実施例では、巻上機９２の回転軸９４に沿った巻上機９２の厚みを最小化するために、ディスク型モータ９３を備える巻上機９２が使用されている。この結果、巻上機９２は、その回転軸９４が垂直に方向づけられた状態で天井スラブ９６のリセス９５内に設けられている。巻上機９２の向きによって、ロープ９７は、巻上機９２から水平でかつ外向きに延びるので、一対のそらせ車９８がロープ９７と係合してロープ９７をかごおよび釣合いおもり（図示省略）まで下向きに導くように設けられている。図７に示すように、そらせ車９８も屋根スラブのリセス９５内に設けられている。
【００２７】
本発明は、例示的な実施例に関して開示および説明されているが、当業者であれば分かるように、本発明の趣旨および範囲から逸脱することなく、種々の変更、省略、および追加を行うことができる。例えば、図では、牽引式巻上機として示しているが、ドラム式や油圧式の装置などの他の種類の巻上機を本発明と共に使用することができる。
【図面の簡単な説明】
【図１】
本発明に係るエレベータ装置の説明図である。
【図２】
図２ａは、エレベータ巻上機の据付配置の側面図、図２ｂは、この据付配置の平面図である。
【図３】
エレベータ巻上機の他の据付配置の側面図である。
【図４】
図４ａは、エレベータ巻上機のさらに他の据付配置の側面図であり、図４ｂは、この据付配置の平面図である。
【図５】
かごの昇降通路より下に巻上機を設けたエレベータ装置の他の実施例の説明図である。
【図６】
エレベータ装置の他のローピング方式の説明図であり、図５ａでは、ロープがかごの上部に取り付けられたつり車と係合しており、図５ｂでは、ロープがかごに直接取り付けられている。
【図７】
平らなディスク型モータを含むとともに、ロープが巻上機から水平方向に延びるように据え付けられている巻上機を有する、エレベータ装置の他の実施例の説明図である。
【図１】
2004504239.tif 000003
【図２ａ】
2004504239.tif 000004
【図２ｂ】
2004504239.tif 000005
【図３】
2004504239.tif 000006
【図４ａ】
2004504239.tif 000007
【図４ｂ】
2004504239.tif 000008
【図５】
2004504239.tif 000009
【図６ａ】
2004504239.tif 000010
【図６ｂ】
2004504239.tif 000011
【図７】
2004504239.tif 000012
【国際公開パンフレット】
2004504239.tif 000013
2004504239.tif 000014
2004504239.tif 000015
2004504239.tif 000016
2004504239.tif 000017
2004504239.tif 000018
2004504239.tif 000019
2004504239.tif 000020
2004504239.tif 000021
2004504239.tif 000022
2004504239.tif 000023
2004504239.tif 000024
2004504239.tif 000025
2004504239.tif 000026
2004504239.tif 000027
2004504239.tif 000028
2004504239.tif 000029
【国際公開パンフレット（コレクトバージョン）】
2004504239.tif 000030
2004504239.tif 000031
【手続補正書】
【提出日】平成14年2月20日(2002.2.20)
【手続補正１】
【補正対象書類名】明細書
【補正対象項目名】００２１
【補正方法】変更
【補正の内容】
【００２１】
かご１４は、一対の両引き戸６２とドア作動装置６４とを含んでいる。図１では、両引き戸を示しているが、片引き戸および／またはテレスコーピングドア装置などの他のドア装置を本発明と共に使用することもできる。図１に示すように、ドア作動装置６４は、電子制御装置６６と、ドアガイドレール６９と係合した複数の電動ドアローラ６８と、を含む。このような小型のドア作動装置６４を使用することで、典型的なエレベータかごの屋根に設置された従来のドア作動装置などのような機器がない状態にかごの屋根を保つことができる。電動ローラ６８を有するように図示されているが、かごに取り付けられているとともに牽引コードを介してドアと係合する電動プーリや、リニアモータ式ドア装置などの他の小型ドア装置を本発明と共に使用することもできる。さらに、追加のオーバヘッド空間が利用可能な場合には、従来のドア作動装置を本発明と共に使用することもできる。また、昇降路の底部にドア作動装置に利用可能な充分な昇降空間があれば、ドア作動装置をかごの底部に取り付けることもできる。


【手続補正２】
【補正対象書類名】明細書
【補正対象項目名】図面の簡単な説明
【補正方法】変更
【補正の内容】
【図面の簡単な説明】
【図１】
本発明に係るエレベータ装置の説明図である。
【図２】
図２ａは、エレベータ巻上機の据付配置の側面図、図２ｂは、この据付配置の平面図である。
【図３】
エレベータ巻上機の他の据付配置の側面図である。
【図４】
図４ａは、エレベータ巻上機のさらに他の据付配置の側面図であり、図４ｂは、この据付配置の平面図である。
【図５】
かごの昇降通路より下に巻上機を設けたエレベータ装置の他の実施例の説明図である。
【図６】
エレベータ装置の他のローピング方式の説明図であり、図６ａでは、ロープがかごの上部に取り付けられた綱車と係合しており、図６ｂでは、ロープがかごに直接取り付けられている。
【図７】
平らなディスク型モータを含むとともに、ロープが巻上機から水平方向に延びるように据え付けられている巻上機を有する、エレベータ装置の他の実施例の説明図である。




【手続補正書】
【提出日】平成14年9月17日(2002.9.17)
【手続補正１】
【補正対象書類名】明細書
【補正対象項目名】特許請求の範囲
【補正方法】変更
【補正の内容】
【特許請求の範囲】
【請求項１】
昇降路の頂部を定める実質的に水平な面を有するとともに、この面から上向きに延びるリセスを備える実質的に水平な上部構造プラットホームを含む昇降路と、
かごと、
前記かごと係合する１つまたは複数のロープと、
前記ロープと係合する駆動綱車を駆動するとともに前記リセス内でかつ実質的に前記面よりも上に配置された巻上機と、を有することを特徴とするエレベータ装置。
【請求項２】
前記巻上機を支持するベッドプレートをさらに含み、このベッドプレートは、前記上部構造プラットホームに取り付けられていることを特徴とする請求項１記載のエレベータ装置。
【請求項３】
前記ベッドプレートは、前記リセス内に配置されていることを特徴とする請求項２記載のエレベータ装置。
【請求項４】
前記１つまたは複数のロープは、前記かごに取り付けられていることを特徴とする請求項１記載のエレベータ装置。
【請求項５】
前記かごは、１つまたは複数のつり車を含み、前記１つまたは複数のロープは、前記１つまたは複数のつり車と係合していることを特徴とする請求項１記載のエレベータ装置。
【請求項６】
前記１つまたは複数のつり車は、前記ロープが前記かごの下を通過するように配置されていることを特徴とする請求項５記載のエレベータ装置。
【請求項７】
前記１つまたは複数のつり車は、前記ロープが前記かごの上を通過するように配置されていることを特徴とする請求項５記載のエレベータ装置。
【請求項８】
前記昇降路を通って延在する１つまたは複数のガイド部材をさらに含み、前記かごは、該かごが昇降中に案内されるように前記ガイド部材と係合しており、前記巻上機は、前記１つまたは複数のガイド部材によって支持されていることを特徴とする請求項１記載のエレベータ装置。
【請求項９】
前記巻上機を支持するベッドプレートをさらに含み、このベッドプレートは、前記１つまたは複数のガイド部材に取り付けられていることを特徴とする請求項８記載のエレベータ装置。
【請求項１０】
前記１つまたは複数のロープは、平形ロープを含むことを特徴とする請求項１記載のエレベータ装置。
【請求項１１】
前記１つまたは複数のロープは、非金属材料から構成された耐荷重ストランドを有するロープを含むことを特徴とする請求項１記載のエレベータ装置。
【請求項１２】
前記上部構造部材は、屋根を定める上面を含むことを特徴とする請求項１記載のエレベータ装置。
【請求項１３】
前記上部構造部材は、上面を備えるとともに３００ｍｍ以下の厚みを有し、この厚みは、前記昇降路の頂部を定める面から前記上面までを測定したものであり、前記巻上機は、前記上部構造部材の厚みの範囲内に据付可能であることを特徴とする請求項１記載のエレベータ装置。
【請求項１４】
前記１つまたは複数のロープは、前記かごに均衡のとれたつり上げ力を提供するように該かごと係合していることを特徴とする請求項１記載のエレベータ装置。
【請求項１５】
前記１つまたは複数のロープは、前記かごに不均衡な吊り上げ力を提供するように該かごと係合していることを特徴とする請求項１記載のエレベータ装置。
【請求項１６】
前記昇降路を通って延在する１つまたは複数のガイド部材をさらに含み、前記かごは、該かごが昇降中に案内されるように前記ガイド部材と係合しており、前記昇降路は、壁を含み、前記１つまたは複数のガイドレールは、前記かごがカンチレバー式に案内されるように前記昇降路の壁に沿って配置されていることを特徴とする請求項１記載のエレベータ装置。
【請求項１７】
前記巻上機は、ディスク型の巻上機であることを特徴とする請求項１記載のエレベータ装置。
【請求項１８】
前記ロープは、前記巻上機から水平方向に延びていることを特徴とする請求項１７記載のエレベータ装置。
【請求項１９】
ビルを通って延びるとともに、最上の乗場を含む複数の離間された乗場と、昇降路の頂部を定める実質的に水平な面を有する実質的に水平な上部構造プラットホームと、を含み、前記最上の乗場と前記昇降路の頂部との距離が、他の１つまたは複数の隣接する乗場間の距離に実質的に等しい昇降路と、
前記昇降路内で昇降するように設けられたかごと、
前記かごと係合する１つまたは複数のロープと、
前記ロープと係合する駆動綱車を駆動するとともに前記かごよりも上でかつ前記上部構造プラットホームよりも完全に上でない位置に配置された巻上機と、を有することを特徴とするエレベータ装置。
【請求項２０】
前記上部構造プラットホームは、前記面から上向きに延びるリセスを含み、前記巻上機は、前記リセス内に延在していることを特徴とする請求項１９記載のエレベータ装置。
【請求項２１】
前記巻上機は、前記リセス内の固定位置に配置されていることを特徴とする請求項２０記載のエレベータ装置。
【請求項２２】
昇降路の天井を定める実質的に水平な面を有し、かつこの面からプラットホーム内に延びるリセスを備える実質的に水平な構造プラットホームを含む昇降路と、
かごと、
前記昇降路を通って前記かごを昇降させるように前記かごと係合する駆動綱車を駆動するとともに、前記リセス内でかつ実質的に前記面を超えない位置に配置された巻上機と、を有することを特徴とするエレベータ装置。
【国際調査報告】
2004504239.tif 000032
2004504239.tif 000033
2004504239.tif 000034
2004504239.tif 000035